(57)【要約】【課題】小型化することができる調湿システムを提供する。【解決手段】複数のブロック（第一・第二・第三ブロック５１・５２・５３）に分割されると共に吸着材５４が外面に設けられる熱交換器５０と、熱交換器５０の複数のブロックのうち一部のブロックが内挿され、当該一部のブロックを経由する第一の空気流通路１００が形成されるダクト６０と、熱交換器５０の複数のブロックのうち前記一部のブロック以外のブロックを経由する第二の空気流通路２００が形成される熱交換室３０と、を具備し、熱交換器５０の一部のブロックを用いて、第一の空気流通路１００を流通する空気に対して水分の吸着又は脱着の何れか一方を行い、熱交換器５０の一部のブロック以外のブロックを用いて、第二の空気流通路２００を流通する空気に対して水分の吸着又は脱着の何れか他方を行う。【選択図】図１１
2015114086.tif 000002
【特許請求の範囲】
【請求項１】
複数のブロックに分割されると共に当該分割されたブロックごとに冷熱又は温熱を独立して供給可能であって、水分を吸脱着可能な吸着材が外面に設けられる熱交換器と、
前記熱交換器の複数のブロックのうち一部のブロックが内挿され、当該一部のブロックを経由する第一の空気流通路が形成されるダクトと、
前記熱交換器及び前記ダクトを収容し、前記熱交換器の複数のブロックのうち前記一部のブロック以外のブロックを経由する第二の空気流通路が形成される熱交換室と、
を具備し、
前記熱交換器の一部のブロックを用いて、前記第一の空気流通路を流通する空気に対して水分の吸着又は脱着の何れか一方を行い、
前記熱交換器の一部のブロック以外のブロックを用いて、前記第二の空気流通路を流通する空気に対して水分の吸着又は脱着の何れか他方を行う、
ことを特徴とする調湿システム。
【請求項２】
前記ダクトは、前記熱交換室内を移動可能に構成され、内挿される前記熱交換器のブロックを変更する、
ことを特徴とする請求項１に記載の調湿システム。
【請求項３】
前記熱交換器は、前記熱交換室内に直線状に延設されると共に、当該延設される方向に当該熱交換器の複数のブロックが並べられ、
前記ダクトは、前記熱交換器の前記延設される方向に沿って移動する、
ことを特徴とする請求項１又は請求項２に記載の調湿システム。
【請求項４】
前記熱交換室の壁部には、前記ダクトの入口及び出口に対応する箇所に開口部がそれぞれ設けられ、
各開口部には、開閉可能な開閉手段が設けられる、
ことを特徴とする請求項１から請求項３のいずれか一項に記載の調湿システム。
【発明の詳細な説明】
【技術分野】
【０００１】
本発明は、空気の湿度の調整を行うための調湿システムの技術に関する。
【背景技術】
【０００２】
従来、空気の湿度の調整を行うための調湿システムの技術は公知となっている。例えば、特許文献１に記載の如くである。
【０００３】
特許文献１に記載の調湿システムは、冷熱又は温熱を供給可能であって、水分を吸脱着可能な吸着材が外面に設けられる第一及び第二の熱交換器と、前記第一及び第二の熱交換器の一方を収容し、空気流通路が形成される第一及び第二の熱交換室とを、具備する。そして、第一及び第二の熱交換室において、それぞれ交互に、流通する空気に対して水分を吸脱着することにより、空気の湿度の調整（調湿）を連続的に行うことができる。
【０００４】
しかしながら、特許文献１に記載の調湿システムは、熱交換器を収容する熱交換室を２つ具備するものである。したがって、特許文献１に記載の調湿システムは、２つの熱交換室によって大型化する点で問題であった。
【先行技術文献】
【特許文献】
【０００５】
【特許文献１】特許第３５９６５４７号
【発明の概要】
【発明が解決しようとする課題】
【０００６】
本発明は以上の如き状況に鑑みてなされたものであり、その解決しようとする課題は、小型化することができる調湿システムを提供することである。
【課題を解決するための手段】
【０００７】
本発明の解決しようとする課題は以上の如くであり、次にこの課題を解決するための手段を説明する。
【０００８】
即ち、請求項１においては、複数のブロックに分割されると共に当該分割されたブロックごとに冷熱又は温熱を独立して供給可能であって、水分を吸脱着可能な吸着材が外面に設けられる熱交換器と、前記熱交換器の複数のブロックのうち一部のブロックが内挿され、当該一部のブロックを経由する第一の空気流通路が形成されるダクトと、前記熱交換器及び前記ダクトを収容し、前記熱交換器の複数のブロックのうち前記一部のブロック以外のブロックを経由する第二の空気流通路が形成される熱交換室と、を具備し、前記熱交換器の一部のブロックを用いて、前記第一の空気流通路を流通する空気に対して水分の吸着又は脱着の何れか一方を行い、前記熱交換器の一部のブロック以外のブロックを用いて、前記第二の空気流通路を流通する空気に対して水分の吸着又は脱着の何れか他方を行うものである。
【０００９】
請求項２においては、前記ダクトは、前記熱交換室内を移動可能に構成され、内挿される前記熱交換器のブロックを変更するものである。
【００１０】
請求項３においては、前記熱交換器は、前記熱交換室内に直線状に延設されると共に、当該延設される方向に当該熱交換器の複数のブロックが並べられ、前記ダクトは、前記熱交換器の前記延設される方向に沿って移動するものである。
【００１１】
請求項４においては、前記熱交換室の壁部には、前記ダクトの入口及び出口に対応する箇所に開口部がそれぞれ設けられ、各開口部には、開閉可能な開閉手段が設けられるものである。
【発明の効果】
【００１２】
本発明の効果として、以下に示すような効果を奏する。
【００１３】
請求項１においては、調湿システムを小型化することができる。
【００１４】
請求項２においては、空気の湿度の調整（調湿）を連続的に行うことができる。
【００１５】
請求項３においては、空気の湿度の調整（調湿）を効率よく連続的に行うことができる。
【００１６】
請求項４においては、空気の湿度の調整（調湿）を効率よく連続的に行うことができる。
【図面の簡単な説明】
【００１７】
【図１】本発明に係る調湿システムの一実施形態を示した概略図。
【図２】同じく、ブロック図。
【図３】同じく、（ダクトが第二位置に移動した）熱交換室及びその周辺の空気流通部を示した斜視模式図。
【図４】同じく、熱交換室を示した斜視模式図。
【図５】（ａ）同じく、ダンパにより開口部が閉塞状態とされた様子を示した側面模式図。（ｂ）同じく、ダンパにより開口部が開放状態とされた様子を側面模式図。
【図６】（ａ）同じく、熱交換器を示した斜視模式図。（ｂ）同じく、熱交換器を通る冷媒循環路を示した平面模式図。
【図７】同じく、ダクトを示した斜視模式図。
【図８】（ａ）同じく、熱交換器とダクトとを示した斜視模式図。（ｂ）図８（ａ）の状態において、空気が流通する様子を示した斜視模式図。
【図９】（ａ）同じく、ダクトが第一位置に移動した様子を示した斜視模式図。（ｂ）同じく、ダクトが第三位置に移動した様子を示した斜視模式図。
【図１０】（ａ）同じく、第二の空気流通路を空気が流通する様子を示した、図３のＡ−Ａ線矢視断面模式図。（ｂ）同じく、第一の空気流通路を空気が流通する様子を示した、図３のＢ−Ｂ線矢視断面模式図。
【図１１】（ａ）同じく、ダクトが第一位置に移動した場合の第一の空気流通路及び第二の空気流通路を示した平面模式図。（ａ）同じく、ダクトが第二位置に移動した場合の第一の空気流通路及び第二の空気流通路を示した平面模式図。（ａ）同じく、ダクトが第三位置に移動した場合の第一の空気流通路及び第二の空気流通路を示した平面模式図。
【図１２】同じく、季節により空気の取り扱いを異ならせることを示した表。
【発明を実施するための形態】
【００１８】
以下では、図１及び図２を用いて、本発明に係る「調湿システム」の一実施形態である調湿システム１の概略について説明する。
なお、以下の説明では、図中に示した矢印に従って、上下方向、前後方向及び左右方向を定義する。
【００１９】
調湿システム１は、建物に導入され、空気（室内空気）の湿度の調整（調湿）を行うためのシステムである。図１に示すように、調湿システム１は、主として冷媒循環部１０と、空気流通部２０と、熱交換室３０（湿度調整部）と、制御装置４０と、により構成される。
【００２０】
冷媒循環部１０は、図１に示すように、主として冷媒循環路１１と、冷媒循環装置１２と、により構成される。
【００２１】
冷媒循環路１１は、冷媒が充填され、当該充填された冷媒が循環（流通）するものである。冷媒循環路１１は、熱交換室３０及び冷媒循環装置１２を経由した無端状に形成される。
【００２２】
冷媒循環装置１２は、圧縮した冷媒や減圧した冷媒を冷媒循環路１１に循環させるための装置である。冷媒循環装置１２は、図示せぬ圧縮機や、膨張弁、四方弁等により構成される。冷媒循環装置１２は、前記圧縮機により冷媒を圧縮して循環させることができる。また、冷媒循環装置１２は、循環する冷媒を前記膨張弁により減圧させることができる。また、冷媒循環装置１２は、冷媒循環路１１の冷媒の循環方向を、任意に逆転させることができる。
【００２３】
こうして、冷媒循環部１０は、冷媒循環装置１２により圧縮した冷媒や減圧した冷媒を、冷媒循環路１１を介して熱交換室３０（より詳細には、熱交換器５０）に流通させることができる。
【００２４】
空気流通部２０は、図１に示すように、主として空気流通路２１と、ファン２２と、により構成される。
【００２５】
空気流通路２１は、建物内外を連通して、空気が流通するものである。空気流通路２１は、建物外の空気を建物内に流通させるものと、建物内の空気を建物外に流通させるものと、の２種類が、相互に連通不能に形成される。空気流通路２１の中途部には、熱交換室３０が配置される。
なお、空気流通路２１の構成についての詳細な説明は後述する。
【００２６】
ファン２２は、その駆動により、建物外の空気を建物内に流通させたり、建物内の空気を建物外に流通させたりするためのものである。ファン２２は、空気流通路２１の適宜な箇所に、適宜な個数が設置される。ファン２２は、図２に示すように、制御装置４０に接続され、当該制御装置４０により駆動が制御される。
【００２７】
こうして、空気流通部２０は、ファン２２を駆動させて、空気流通路２１を介して熱交換室３０を経由した空気を建物内外に流通させることができる。
【００２８】
熱交換室３０（湿度調整部）は、冷媒循環部１０から冷媒が流通される熱交換器５０等を用いて、空気流通部２０により流通された建物外の空気の湿度を調整するものである。熱交換室３０（より詳細には、ダクト駆動モータ６１及びダンパ用モータ７３）、は、図２に示すように、制御装置４０に接続され、当該制御装置４０により駆動が制御される。
なお、熱交換室３０の構成についての詳細な説明は後述する。
【００２９】
制御装置４０は、調湿システム１を制御するためのコンピュータ装置である。制御装置４０は、主としてＣＰＵ等の演算処理装置や、ＲＡＭやＲＯＭ等の記憶装置、Ｉ／Ｏ等の入出力装置等により構成される。
【００３０】
こうして、調湿システム１においては、制御装置４０の制御によって、圧縮した冷媒や減圧した冷媒を冷媒循環部１０により熱交換室３０（より詳細には、熱交換器５０）に流通させると共に、建物内外の空気を空気流通部２０により熱交換室３０に流通させる。これにより、熱交換室３０に流通される建物外からの空気の湿度を調整することができる（室内空気の湿度の調整を行うことができる）。
【００３１】
以下では、図３を用いて、空気流通路２１の構成、特に熱交換室３０の付近の構成について詳細に説明する。
【００３２】
なお、以下の説明では、空気流通路２１において、熱交換室３０よりも前側を「前側流通路２３ａ」と称し、熱交換室３０よりも後側を「後側流通路２３ｂ」と称する。
【００３３】
前側流通路２３ａは、相互に連通不能な上下の２つの空間（空気流通路）に区画される。以下の説明では、前記区画された２つの空気流通路のうち、上側を「前上側流通路２４ａ」と称し、下側を「前下側流通路２５ａ」と称する。
【００３４】
後側流通路２３ｂは、相互に連通不能な上下の２つの空間（空気流通路）に区画される。以下の説明では、前記区画された２つの空気流通路のうち、上側を「後上側流通路２４ｂ」と称し、下側を「後下側流通路２５ｂ」と称する。
【００３５】
また、前上側流通路２４ａと後下側流通路２５ｂとは、後述する第一の空気流通路１００を介して連通される（図３の白抜き矢印参照）。なお、本実施形態において、前上側流通路２４ａと後下側流通路２５ｂとを第一の空気流通路１００を介して流通する空気は、前上側流通路２４ａから後下側流通路２５ｂ側へ向けて流通するものとする。なお、前上側流通路２４ａと後下側流通路２５ｂとを第一の空気流通路１００を介して流通する空気としては、建物内の空気又は建物外の何れか一方の空気が任意に使用可能に構成される。
【００３６】
また、前下側流通路２５ａと後上側流通路２４ｂとは、後述する第二の空気流通路２００を介して連通される（図３の黒塗り矢印参照）。なお、本実施形態において、前下側流通路２５ａと後上側流通路２４ｂとを第二の空気流通路２００を介して流通する空気は、後上側流通路２４ｂから前下側流通路２５ａ側へ向けて流通するものとする。そして、前下側流通路２５ａと後上側流通路２４ｂとを第二の空気流通路２００を介して流通する空気としては、建物内の空気又は建物外の何れか他方の空気が任意に使用可能に構成される。
【００３７】
以下では、熱交換室３０の構成について詳細に説明する。
【００３８】
図３及び図４に示す熱交換室３０は、熱交換器５０や、ダクト６０を収容する。熱交換室３０は、前後、左右及び上下を板状の壁部で囲まれ、左右方向に細長い箱状に形成される。熱交換室３０の前側壁は、前側流通路２３ａ（前上側流通路２４ａ及び前下側流通路２５ａ）と接続される。また、熱交換室３０の後側壁は、後側流通路２３ｂ（後上側流通路２４ｂ及び後下側流通路２５ｂ）と接続される。なお、各図面においては、説明の便宜上、壁部の図示を適宜省略している。
【００３９】
熱交換室３０の前側壁の下部には、前下開口部３５が設けられる。前下開口部３５は、熱交換室３０の前側壁の下部を前後方向に貫通して形成される。前下開口部３５の左右幅は、熱交換室３０の前側壁の左右幅よりも若干小さく形成される。こうして、熱交換室３０と前下側流通路２５ａとが、前下開口部３５を介して連通される。
【００４０】
熱交換室３０の後側壁の上部には、後上開口部３６が設けられる。後上開口部３６は、熱交換室３０の後側壁の上部を前後方向に貫通して形成される。後上開口部３６の左右幅は、熱交換室３０の後側壁の左右幅よりも若干小さく形成される。こうして、熱交換室３０と後上側流通路２４ｂとが、後上開口部３６を介して連通される。
【００４１】
熱交換室３０の前側壁の上部には、第一前上開口部３１ａと、第二前上開口部３２ａと、第三前上開口部３３ａと、が設けられる。第一・第二・第三前上開口部３１ａ・３２ａ・３３ａは、それぞれ熱交換室３０の前側壁の上部を前後方向に貫通して形成される。第一・第二・第三前上開口部３１ａ・３２ａ・３３ａは、熱交換室３０の前側壁の上部に、左右方向に適宜な間隔をあけて並設される。こうして、熱交換室３０と前上側流通路２４ａとが、第一・第二・第三前上開口部３１ａ・３２ａ・３３ａを介して連通される。
【００４２】
熱交換室３０の後側壁の下部には、第一後下開口部３１ｂと、第二後下開口部３２ｂと、第三後下開口部３３ｂと、が設けられる。第一・第二・第三後下開口部３１ｂ・３２ｂ・３３ｂは、それぞれ熱交換室３０の後側壁の下部を前後方向に貫通して形成される。第一・第二・第三後下開口部３１ｂ・３２ｂ・３３ｂは、熱交換室３０の後側壁の下部に、左右方向に適宜な間隔をあけて並設される。こうして、熱交換室３０と後下側流通路２５ｂとが、第一・第二・第三後下開口部３１ｂ・３２ｂ・３３ｂを介して連通される。なお、第一・第二・第三後下開口部３１ｂ・３２ｂ・３３ｂは、それぞれ第一・第二・第三前上開口部３１ａ・３２ａ・３３ａと前後方向に対応する位置に形成される。
【００４３】
また、第一・第二・第三前上開口部３１ａ・３２ａ・３３ａ及び第一・第二・第三後下開口部３１ｂ・３２ｂ・３３ｂには、ぞれぞれダンパ７０が設けられる。図５に示すダンパ７０は、左右方向を軸心方向とする軸部７１と、当該軸部７１から上下方向に延出して板面を前後方向へ向けた羽板部７２と、当該軸部７１を軸心回りに回転させるダンパ用モータ７３（図５においては図示を省略）と、により構成される。なお、図２に示すように、ダンパ用モータ７３は、制御装置４０に接続され、当該制御装置４０により駆動が制御される。
【００４４】
このようなダンパ７０の構成により、第一・第二・第三前上開口部３１ａ・３２ａ・３３ａ及び第一・第二・第三後下開口部３１ｂ・３２ｂ・３３ｂは、開放状態と閉塞状態とをそれぞれ独立して切り替えることができる。
【００４５】
こうして、例えば、第一・第二・第三前上開口部３１ａ・３２ａ・３３ａの何れかの開口部が、ダンパ７０により閉塞状態とされた場合、当該閉塞状態の開口部を介した熱交換室３０と前上側流通路２４ａとの連通した状態が規制される。すなわち、図５（ａ）に示すように、前上側流通路２４ａからの空気は、前記閉塞状態の開口部を介して熱交換室３０に流入不能となる。なお、図５（ａ）においては、第一・第二・第三前上開口部３１ａ・３２ａ・３３ａの何れかの開口部が、ダンパ７０により閉塞状態とされた場合を図示したが、第一・第二・第三後下開口部３１ｂ・３２ｂ・３３ｂにおいても同様である。
【００４６】
また、例えば、第一・第二・第三前上開口部３１ａ・３２ａ・３３ａの何れかの開口部が、ダンパ７０により開放状態とされた場合、当該開放状態の開口部を介した熱交換室３０と前上側流通路２４ａとの連通した状態が維持される。すなわち、図５（ｂ）に示すように、前上側流通路２４ａからの空気は、前記開放状態の開口部を介して熱交換室３０に流入可能となる。なお、図５（ｂ）においては、第一・第二・第三前上開口部３１ａ・３２ａ・３３ａの何れかの開口部が、ダンパ７０により開放状態とされた場合を図示したが、第一・第二・第三後下開口部３１ｂ・３２ｂ・３３ｂにおいても同様である。
【００４７】
このような構成の熱交換室３０においては、空気の流通路である第二の空気流通路２００が形成される。
【００４８】
第二の空気流通路２００は、前下側流通路２５ａと後上側流通路２４ｂとを連通するものである。
なお、第二の空気流通路２００の構成についての詳細な説明は後述する。
【００４９】
以下では、熱交換室３０に収容される熱交換器５０の構成について詳細に説明する。
【００５０】
図３及び図６に示す熱交換器５０は、冷媒循環部１０により圧縮した冷媒や減圧した冷媒が流通されることにより、放熱器（凝縮器）又は蒸発器として機能するもの（冷熱又は温熱を供給するもの）である。熱交換器５０の外面には、空気の水分を吸脱着可能な吸着材５４が担持される。
【００５１】
こうして、熱交換器５０が冷熱を供給した場合には、当該冷熱により熱交換器５０の外面に担持された吸着材５４が冷却される。そして、当該冷却により空気の水分が吸着材５４に吸着され、除湿が行われる。これに対して、熱交換器５０が温熱を供給した場合には、当該温熱により熱交換器５０の外面に担持された吸着材５４が加熱される。そして、当該加熱により吸着材５４から水分が脱着され、加湿が行われる。なお、吸着材５４から水分が脱着すると、吸着材５４が再生される。
【００５２】
熱交換器５０は、長手方向を左右方向として直線状に延設される。熱交換器５０は、側面視で熱交換室３０の略中央に配置される。熱交換器５０の左右幅は、熱交換室３０の左右幅よりも若干小さく形成される。すなわち、熱交換器５０は、熱交換室３０の内部で、当該熱交換室３０の左側壁と右側壁との間を略横断するように形成される。なお、各図面においては、説明の便宜上、熱交換器５０の形状を左右方向に細長い円柱状として図示しているが、熱交換器５０の形状はこれに限定するものではない。
【００５３】
また、熱交換器５０は、複数のブロックに分割される。本実施形態において、熱交換器５０は、複数のブロックとして、図６（ａ）に示すように、第一ブロック５１と、第二ブロック５２と、第三ブロック５３という、３つのブロックに分割される。第一・第二・第三ブロック５１・５２・５３は、それぞれ略同一の左右幅となるように形成される。第一・第二・第三ブロック５１・５２・５３は、熱交換器５０の左右方向（延設される方向）に、左側から右側に順番に並べられる。
【００５４】
また、図６（ｂ）に示すように、第一・第二・第三ブロック５１・５２・５３は、それぞれ冷媒循環路１１が通されている。なお、前記それぞれの冷媒循環路１１は、冷媒循環装置１２により圧縮した冷媒又は減圧した冷媒が、それぞれ独立して流通されるように構成される。こうして、熱交換器５０の第一・第二・第三ブロック５１・５２・５３は、それぞれ独立して冷熱又は温熱を供給することができる。
【００５５】
そして、熱交換器５０の第一・第二・第三ブロック５１・５２・５３は、当該第一・第二・第三ブロック５１・５２・５３のうち、後述するダクト６０に内挿されたブロックが温熱を供給する一方、ダクト６０に内挿されなかったブロックが冷熱を供給するように設定される。
【００５６】
以下では、熱交換室３０に収容されるダクト６０の構成について詳細に説明する。
【００５７】
図３及び図７に示すダクト６０は、前後、左右及び上下を板状の壁部で囲まれ、前後方向に細長い箱状に形成される。ダクト６０には、熱交換器５０の第一・第二・第三ブロック５１・５２・５３のうち一部のブロック（本実施形態においては、１つのブロック）が内挿される。ダクト６０の上下幅は、熱交換室３０の上下幅よりも若干小さく形成される。また、ダクト６０の前後幅は、熱交換室３０の前後幅よりも若干小さく形成される。また、ダクト６０の左右幅は、熱交換室３０（又は、熱交換器５０）の左右幅の略３分の１に形成される。すなわち、ダクト６０の左右幅は、熱交換器５０の第一・第二・第三ブロック５１・５２・５３の左右幅と略同一となる。なお、各図面においては、説明の便宜上、壁部の図示を適宜省略している。
【００５８】
ダクト６０には、図２に示すように、ダクト駆動モータ６１が設けられる。ダクト駆動モータ６１は、制御装置４０に接続され、当該制御装置４０により駆動が制御される。ダクト６０は、ダクト駆動モータ６１からの駆動力により、図示せぬ駆動機構を介して熱交換室３０に対して左右方向に移動（スライド移動）可能に構成される。
【００５９】
なお、本実施形態において、ダクト６０は、左右方向に設定された３つの位置を、順番に移動する。以下の説明では、前記３つの位置のうち、図９（ａ）に示す最も左側の位置を「第一位置」と称し、図３に示す左右中央の位置を「第二位置」と称し、図９（ｂ）に示す最も右側の位置を「第三位置」と称する。
【００６０】
ダクト６０の前側壁の上部には、前ダクト開口部６２が設けられる。前ダクト開口部６２は、ダクト６０の前壁部の略上半分を前後方向に貫通して形成される。
【００６１】
ダクト６０の後側壁の下部には、後ダクト開口部６３が設けられる。後ダクト開口部６３は、ダクト６０の後壁部の略下半分を前後方向に貫通して形成される。
【００６２】
ダクト６０の左側壁には、左ダクト開口部６４が設けられる。左ダクト開口部６４は、ダクト６０の左側壁の略中央を、左右方向に貫通して形成される。左ダクト開口部６４の内径は、熱交換器５０の側面視における外径よりも若干大きく形成される。
【００６３】
ダクト６０の右側壁には、右ダクト開口部６５が設けられる。右ダクト開口部６５は、ダクト６０の右側壁の略中央を、左右方向に貫通して形成される。右ダクト開口部６５の内径は、熱交換器５０の側面視における外径よりも若干大きく形成される。
【００６４】
ダクト６０の左ダクト開口部６４及び右ダクト開口部６５は、図３及び図８（ａ）に示すように、熱交換器５０に貫通される。すなわち、熱交換器５０のうち、左ダクト開口部６４と右ダクト開口部６５との間の部位（一のブロック）は、ダクト６０に内挿される。また、図８（ａ）に示すように、ダクト６０は、左ダクト開口部６４及び右ダクト開口部６５が熱交換器５０に貫通されたまま、左右方向に移動することができる。
【００６５】
そして、図９（ａ）に示すように、ダクト６０は、第一位置に移動した場合に、熱交換器５０の第一・第二・第三ブロック５１・５２・５３のうち第一ブロック５１が内挿される。また、図３に示すように、ダクト６０は、第二位置に移動した場合に、熱交換器５０の第一・第二・第三ブロック５１・５２・５３のうち第二ブロック５２が内挿される。また、図９（ｂ）に示すように、ダクト６０は、第三位置に移動した場合に、熱交換器５０の第一・第二・第三ブロック５１・５２・５３のうち第三ブロック５３が内挿される。
【００６６】
このような構成のダクト６０においては、空気の流通路である第一の空気流通路１００が形成される。
【００６７】
第一の空気流通路１００は、前上側流通路２４ａと後下側流通路２５ｂとを連通するものである。
なお、第一の空気流通路１００の構成についての詳細な説明は後述する。
【００６８】
以下では、ダクト６０の第一の空気流通路１００及び熱交換室３０の第二の空気流通路２００の構成について詳細に説明する。
【００６９】
ダクト６０の第一の空気流通路１００は、図８（ｂ）に示すように、当該ダクト６０の内側の空間である。また、熱交換室３０の第二の空気流通路２００は、図３に示すように、当該熱交換室３０の内側の空間であって、且つダクト６０の外側の空間である。第一の空気流通路１００と第二の空気流通路２００とは、相互に連通しないように形成される。なお、前述したように、ダクト６０は、熱交換室３０に対して左右方向に移動可能に構成される。すなわち、第一の空気流通路１００は、熱交換室３０に対して左右方向に配置が変更される。また、第二の空気流通路２００も、第一の空気流通路１００の配置の変更に応じて配置（形状）が変更される。以下では、ダクト６０が、第一位置、第二位置、第三位置に移動した場合の、第一の空気流通路１００及び第二の空気流通路２００の構成について、具体的に説明する。
【００７０】
先ず、ダクト６０が第一位置に移動した場合の、第一の空気流通路１００及び第二の空気流通路２００の構成について、具体的に説明する。
【００７１】
図９（ａ）に示すように、ダクト６０が第一位置に移動した場合、ダクト６０の前ダクト開口部６２が熱交換室３０の第一前上開口部３１ａと対向して配置される。すなわち、ダクト６０と前上側流通路２４ａとが、前ダクト開口部６２及び第一前上開口部３１ａを介して連通される。また、同様に、ダクト６０の後ダクト開口部６３が、熱交換室３０の第一後下開口部３１ｂと対向して配置される（不図示）。すなわち、ダクト６０と後下側流通路２５ｂとが、後ダクト開口部６３及び第一後下開口部３１ｂを介して連通される。
【００７２】
なお、ダクト６０が第一位置に移動した場合、第一前上開口部３１ａ及び第一後下開口部３１ｂがダンパ７０により開放状態とされる。
【００７３】
こうして、ダクト６０が第一位置に移動した場合、前上側流通路２４ａからの空気は、第一前上開口部３１ａ及び前ダクト開口部６２を介してダクト６０に流入する。そして、ダクト６０に流入した空気は、当該ダクト（第一の空気流通路１００）を流通した後、第一後下開口部３１ｂ及び後ダクト開口部６３を介して後下側流通路２５ｂに流出する。なお、ダクト６０が第一位置に移動した場合、ダクト６０には熱交換器５０の第一ブロック５１が内挿される。すなわち、ダクト６０（第一の空気流通路１００）を流通する空気は、熱交換器５０の第一ブロック５１を流通（経由）することとなる。
【００７４】
なお、ダクト６０が第一位置に移動した場合、第二・第三前上開口部３２ａ・３３ａ及び第二・第三後下開口部３２ｂ・３３ｂがダンパ７０により閉塞状態とされる。すなわち、ダクト６０が第一位置に移動した場合、前上側流通路２４ａからの空気は熱交換室３０に流入しない。
【００７５】
また、ダクト６０が第一位置に移動した場合、後上開口部３６のうち左部が当該ダクト６０の後側壁より閉塞され、中央部及び右部が開放された状態となる。したがって、後上側流通路２４ｂからの空気は、後上開口部３６のうち中央部及び右部を介して熱交換室３０に流入する。そして、熱交換室３０に流入した空気は、当該熱交換室３０の内側であって、且つダクト６０の外側の空間（第二の空気流通路２００）を流通した後、前下開口部３５を介して前下側流通路２５ａに流出する。なお、ダクト６０が第一位置に移動した場合、第二の空気流通路２００を流通する空気は、熱交換器５０の第二・第三ブロック５２・５３（すなわち、ダクト６０に内挿される第一ブロック５１以外のブロック）を流通（経由）することとなる。
【００７６】
次に、ダクト６０が第二位置に移動した場合の、第一の空気流通路１００及び第二の空気流通路２００の構成について、具体的に説明する。
【００７７】
図３及び図１０に示すように、ダクト６０が第二位置に移動した場合、ダクト６０の前ダクト開口部６２が熱交換室３０の第二前上開口部３２ａと対向して配置される。すなわち、ダクト６０と前上側流通路２４ａとが、前ダクト開口部６２及び第二前上開口部３２ａを介して連通される。また、同様に、ダクト６０の後ダクト開口部６３が、熱交換室３０の第二後下開口部３２ｂと対向して配置される。すなわち、ダクト６０と後下側流通路２５ｂとが、後ダクト開口部６３及び第二後下開口部３２ｂを介して連通される。
【００７８】
なお、ダクト６０が第二位置に移動した場合、第二前上開口部３２ａ及び第二後下開口部３２ｂがダンパ７０により開放状態とされる。
【００７９】
こうして、ダクト６０が第二位置に移動した場合、前上側流通路２４ａからの空気は、第二前上開口部３２ａ及び前ダクト開口部６２を介してダクト６０に流入する。そして、ダクト６０に流入した空気は、当該ダクト（第一の空気流通路１００）を流通した後、第二後下開口部３２ｂ及び後ダクト開口部６３を介して後下側流通路２５ｂに流出する。なお、ダクト６０が第二位置に移動した場合、ダクト６０には熱交換器５０の第二ブロック５２が内挿される。すなわち、ダクト６０（第一の空気流通路１００）を流通する空気は、熱交換器５０の第二ブロック５２を流通（経由）することとなる。
【００８０】
なお、ダクト６０が第二位置に移動した場合、第一・第三前上開口部３１ａ・３３ａ及び第一・第三後下開口部３１ｂ・３３ｂがダンパ７０により閉塞状態とされる。すなわち、ダクト６０が第二位置に移動した場合、前上側流通路２４ａからの空気は熱交換室３０に流入しない。
【００８１】
また、ダクト６０が第二位置に移動した場合、後上開口部３６のうち中央部が当該ダクト６０の後側壁より閉塞され、左部及び右部が開放された状態となる。したがって、後上側流通路２４ｂからの空気は、後上開口部３６のうち左部及び右部を介して熱交換室３０に流入する。そして、熱交換室３０に流入した空気は、当該熱交換室３０の内側であって、且つダクト６０の外側の空間（第二の空気流通路２００）を流通した後、前下開口部３５を介して前下側流通路２５ａに流出する。なお、ダクト６０が第二位置に移動した場合、第二の空気流通路２００を流通する空気は、熱交換器５０の第一・第三ブロック５１・５３（すなわち、ダクト６０に内挿される第二ブロック５２以外のブロック）を流通（経由）することとなる。
【００８２】
次に、ダクト６０が第三位置に移動した場合の、第一の空気流通路１００及び第二の空気流通路２００の構成について、具体的に説明する。
【００８３】
図９（ｂ）に示すように、ダクト６０が第三位置に移動した場合、ダクト６０の前ダクト開口部６２が熱交換室３０の第三前上開口部３３ａと対向して配置される。すなわち、ダクト６０と前上側流通路２４ａとが、前ダクト開口部６２及び第三前上開口部３３ａを介して連通される。また、同様に、ダクト６０の後ダクト開口部６３が、熱交換室３０の第三後下開口部３３ｂと対向して配置される（不図示）。すなわち、ダクト６０と後下側流通路２５ｂとが、後ダクト開口部６３及び第三後下開口部３３ｂを介して連通される。
【００８４】
なお、ダクト６０が第三位置に移動した場合、第三前上開口部３３ａ及び第三後下開口部３３ｂがダンパ７０により開放状態とされる。
【００８５】
こうして、ダクト６０が第三位置に移動した場合、前上側流通路２４ａからの空気は、第三前上開口部３３ａ及び前ダクト開口部６２を介してダクト６０に流入する。そして、ダクト６０に流入した空気は、当該ダクト（第一の空気流通路１００）を流通した後、第三後下開口部３３ｂ及び後ダクト開口部６３を介して後下側流通路２５ｂに流出する。なお、ダクト６０が第三位置に移動した場合、ダクト６０には熱交換器５０の第三ブロック５３が内挿される。すなわち、ダクト６０（第一の空気流通路１００）を流通する空気は、熱交換器５０の第三ブロック５３を流通（経由）することとなる。
【００８６】
なお、ダクト６０が第三位置に移動した場合、第一・第二前上開口部３１ａ・３２ａ及び第一・第二後下開口部３１ｂ・３２ｂがダンパ７０により閉塞状態とされる。すなわち、ダクト６０が第三位置に移動した場合、前上側流通路２４ａからの空気は熱交換室３０に流入しない。
【００８７】
また、ダクト６０が第三位置に移動した場合、後上開口部３６のうち右部が当該ダクト６０の後側壁より閉塞され、左部及び中央部が開放された状態となる。したがって、後上側流通路２４ｂからの空気は、後上開口部３６のうち左部及び中央部を介して熱交換室３０に流入する。そして、熱交換室３０に流入した空気は、当該熱交換室３０の内側であって、且つダクト６０の外側の空間（第二の空気流通路２００）を流通した後、前下開口部３５を介して前下側流通路２５ａに流出する。なお、ダクト６０が第三位置に移動した場合、第二の空気流通路２００を流通する空気は、熱交換器５０の第一・第二ブロック５１・５２（すなわち、ダクト６０に内挿される第三ブロック５３以外のブロック）を流通（経由）することとなる。
【００８８】
このように、第一の空気流通路１００は、熱交換室３０に対して左右方向に配置が変更されるものであり、当該第一の空気流通路１００を流通する空気は、ダクト６０が移動した位置に応じて、熱交換器５０の異なるブロックを流通することとなる。すなわち、第一の空気流通路１００を流通する空気は、ダクト６０が第一位置に移動した場合に第一ブロック５１を流通し、ダクト６０が第二位置に移動した場合に第二ブロック５２を流通し、ダクト６０が第三位置に移動した場合に第三ブロック５３を流通する。
【００８９】
また、第二の空気流通路２００も、第一の空気流通路１００の配置の変更に応じて配置（形状）が変更されるものであり、当該第二の空気流通路２００を流通する空気は、ダクト６０が移動した位置に応じて、熱交換器５０の異なるブロックを流通することとなる。すなわち、第二の空気流通路２００を流通する空気は、ダクト６０が第一位置に移動した場合に第二・第三ブロック５２・５３を流通し、ダクト６０が第二位置に移動した場合に第一・第三ブロック５１・５３を流通し、ダクト６０が第三位置に移動した場合に第一・第二ブロック５１・５３を流通する。
【００９０】
以下では、前述したような調湿システム１の構成から奏される作用効果について説明する。
【００９１】
前述したように、熱交換器５０の第一・第二・第三ブロック５１・５２・５３は、当該第一・第二・第三ブロック５１・５２・５３のうち、ダクト６０に内挿されたブロック（すなわち、第一の空気流通路１００で空気に流通されるブロック）が温熱を供給し、ダクト６０に内挿されなかったブロック（すなわち、第二の空気流通路２００で空気に流通されるブロック）が冷熱を供給するように設定される。
【００９２】
こうして、ダクト６０に内挿されたブロックから温熱が供給されて、温熱により当該ブロックの外面に担持された吸着材５４が加熱される。そして、当該加熱により吸着材５４から水分が脱着され、第一の空気流通路１００を流通する空気の加湿が行われる。なお、吸着材５４から水分が脱着すると、当該吸着材５４が再生される。
【００９３】
また、ダクト６０に内挿されなかったブロックから冷熱が供給されて、冷熱により当該ブロックの外面に担持された吸着材５４が冷却される。そして、当該冷却により空気の水分が吸着材５４に吸着され、第二の空気流通路２００を流通する空気の除湿が行われる。
【００９４】
これによって、例えば除湿した空気を建物内に流通させたい場合には、図１１（ａ）に示すように、ダクト６０を第一位置に移動させて、第二の空気流通路２００を流通する空気、すなわち熱交換器５０の第二・第三ブロック５２・５３により除湿した空気を、建物外から建物内に流通させることができる。また、第一の空気流通路１００を流通する空気を熱交換器５０の第一ブロック５１により加湿し、当該第一ブロック５１の外面に担持された吸着材５４を再生させることができる。
【００９５】
そして、一定の期間が経過後、すなわち熱交換器５０の第二・第三ブロック５２・５３の外面に担持された吸着材５４が一定量の水分を吸着すると、図１１（ｂ）に示すように、ダクト６０を第二位置に移動させる。これによって、第二の空気流通路２００を流通する空気、すなわち熱交換器５０の第一・第三ブロック５１・５３により除湿した空気を、建物外から建物内に流通させることができる。なお、前述したように、第一ブロック５１は、吸着材５４が再生されたため、第二の空気流通路２００を流通する空気から効率よく水分を吸着することができる。また、第一の空気流通路１００を流通する空気を熱交換器５０の第二ブロック５２により加湿し、当該第二ブロック５２の外面に担持された吸着材５４を再生させることができる。
【００９６】
そして、一定の期間が経過後、すなわち熱交換器５０の第一・第三ブロック５１・５３の外面に担持された吸着材５４が一定量の水分を吸着すると、図１１（ｃ）に示すように、ダクト６０を第三位置に移動させる。これによって、第二の空気流通路２００を流通する空気、すなわち熱交換器５０の第一・第二ブロック５１・５２により除湿した空気を、建物外から建物内に流通させることができる。なお、前述したように、第二ブロック５２は、吸着材５４が再生されたため、第二の空気流通路２００を流通する空気から効率よく水分を吸着することができる。また、第一の空気流通路１００を流通する空気を熱交換器５０の第三ブロック５３により加湿し、当該第三ブロック５３の外面に担持された吸着材５４を再生させることができる。
【００９７】
そして、一定の期間が経過後、すなわち熱交換器５０の第一・第二ブロック５１・５２の外面に担持された吸着材５４が一定量の水分を吸着すると、ダクト６０を再び第一位置に移動させる。こうして、ダクト６０は、第一位置・第二位置・第三位置・第一位置・・・と順番に移動される。
【００９８】
このように、調湿システム１においては、熱交換器５０の第一・第二・第三ブロック５１・５２・５３の一部のブロックを用いて加湿（吸着材５４の再生）を行うと同時に、熱交換器５０の第一・第二・第三ブロック５１・５２・５３の前記一部以外のブロックを用いて除湿を行うことができる。また、熱交換器５０の第一・第二・第三ブロック５１・５２・５３のうち、除湿を行うブロックと加湿（吸着材５４の再生）を行うブロックとを、当該調湿システム１の駆動を停止することなく変更することができる。このように、調湿システム１は、空気の湿度の調整（調湿）を連続的に行うことができる。
【００９９】
また、調湿システム１においては、季節や用途により空気の取り扱いを異ならせることができる。
【０１００】
なお、以下の説明では、前上側流通路２４ａから第一の空気流通路１００に流入する空気を「再生用空気」と称し、当該第一の空気流通路１００から後下側流通路２５ｂに流出する空気を「加湿空気」と称する。また、後上側流通路２４ｂから第二の空気流通路２００に流入する空気を「処理空気」と称し、当該第二の空気流通路２００から前下側流通路２５ａに流出する空気を「除湿空気」と称する。
【０１０１】
また、前述した再生用空気等として取り扱われる空気として、建物外の空気（熱交換室３０内に流入する空気）を「外気ＯＡ」と称し、建物内の空気（建物内から熱交換室３０に流出する空気）を「環気ＲＡ」と称する。また、熱交換室３０から建物内へと流通する空気を「給気ＳＡ」と称し、熱交換室３０から建物外へと流通する空気を「排気ＥＡ」と称する。
【０１０２】
図１２に示すように、夏期の場合には、処理空気として外気ＯＡが用いられる。また、除湿空気として給気ＳＡが用いられる。また、再生用空気として環気ＲＡが用いられる。また、加湿空気として排気ＥＡが用いられる。こうして、比較的湿度の高い夏期においては、建物外からの空気を除湿して建物内に流通させることができる。
【０１０３】
また、冬期の場合には、処理空気として環気ＲＡが用いられる。また、除湿空気として排気ＥＡが用いられる。また、再生用空気として外気ＯＡが用いられる。また、加湿空気として給気ＳＡが用いられる。こうして、比較的湿度の低い冬期においては、建物外からの空気を加湿して建物内に流通させることができる。
【０１０４】
以上のように、本発明に係る「調湿システム」の一実施形態である調湿システム１は、
複数のブロック（第一・第二・第三ブロック５１・５２・５３）に分割されると共に当該分割されたブロックごとに冷熱又は温熱を独立して供給可能であって、水分を吸脱着可能な吸着材５４が外面に設けられる熱交換器５０と、
前記熱交換器５０の複数のブロックのうち一部のブロックが内挿され、当該一部のブロックを経由する第一の空気流通路１００が形成されるダクト６０と、
前記熱交換器５０及び前記ダクト６０を収容し、前記熱交換器５０の複数のブロックのうち前記一部のブロック以外のブロックを経由する第二の空気流通路２００が形成される熱交換室３０と、
を具備し、
前記熱交換器５０の一部のブロックを用いて、前記第一の空気流通路１００を流通する空気に対して水分の吸着又は脱着の何れか一方を行い、
前記熱交換器５０の一部のブロック以外のブロックを用いて、前記第二の空気流通路２００を流通する空気に対して水分の吸着又は脱着の何れか他方を行うものである。
【０１０５】
このような構成により、調湿システム１を小型化することができる。
すなわち、調湿システム１は、１つの熱交換器５０と、当該１つの熱交換器５０を収容する１つの熱交換室３０と、を具備するものである。したがって、従来の技術のように、例えば複数の熱交換室を具備する場合と比べて、当該調湿システム１を小型化することができる。
【０１０６】
また、調湿システム１においては、
前記ダクト６０は、前記熱交換室３０内を移動可能に構成され、内挿される前記熱交換器５０のブロックを変更するものである。
【０１０７】
このような構成により、熱交換器５０の第一・第二・第三ブロック５１・５２・５３のうち、除湿を行うブロックと加湿（吸着材５４の再生）を行うブロックとを、当該調湿システム１の駆動を停止することなく変更することができる。すなわち、空気の湿度の調整（調湿）を連続的に行うことができる。
【０１０８】
また、調湿システム１においては、
前記熱交換器５０は、前記熱交換室３０内に直線状に延設されると共に、当該延設される方向に当該熱交換器５０の複数のブロック（第一・第二・第三ブロック５１・５２・５３）が並べられ、
前記ダクト６０は、前記熱交換器５０の前記延設される方向に沿って移動するものである。
【０１０９】
このような構成により、ダクト６０は、左右方向に順番に移動するだけでよいため、複雑な経路を移動する必要がない。すなわち、空気の湿度の調整（調湿）を効率よく連続的に行うことができる。
【０１１０】
また、調湿システム１においては、
前記熱交換室３０の壁部には、前記ダクト６０の入口及び出口に対応する箇所に開口部（第一・第三前上開口部３１ａ・３３ａ及び第一・第三後下開口部３１ｂ・３３ｂ）がそれぞれ設けられ、
各開口部には、開閉可能なダンパ７０（開閉手段）が設けられるものである。
【０１１１】
このような構成により、第一の空気流通路１００を流通する空気と第二の空気流通路２００を流通する空気とが混ざることを防止することができる。すなわち、空気の湿度の調整（調湿）を効率よく連続的に行うことができる。
【０１１２】
また、本実施形態においては、ダンパ７０の数を従来の技術に比べて少なくすることができる。これにより、調湿システム１のコストを削減することができる。
【０１１３】
また、本実施形態においては、第二の空気流通路２００を流通する空気の除湿を行うために３つのブロックのうち２つを使用し、第一の空気流通路１００を流通する空気の加湿（吸着材５４の再生）を行うために３つのブロックのうち１つを使用している。ここで、一般的に、空気の加湿のほうが除湿よりも反応速度が速いところ、加湿を行うためのブロックの数を除湿を行うためのブロックの数よりも多くしている。これにより、調湿システム１の調湿効率を向上させている。
【０１１４】
なお、本実施形態において、前上側流通路２４ａと後下側流通路２５ｂとを第一の空気流通路１００を介して流通する空気は、前上側流通路２４ａから後下側流通路２５ｂ側へ向けて流通するものであったが（一方向だけに流通するものであったが）、流通する方向を任意に逆転可能な構成としてもよい。また、前下側流通路２５ａと後上側流通路２４ｂとを第二の空気流通路２００を介して流通する空気は、後上側流通路２４ｂから前下側流通路２５ａ側へ向けて流通するものであったが（一方向だけに流通するものであったが）、流通する方向を任意に逆転可能な構成としてもよい。
【０１１５】
また、本実施形態において、熱交換器５０は、３つのブロックに分割されたが、分割される数は３つに限定するものではない。すなわち、熱交換器５０は、４つや５つのブロックに分割される構成としてもよい。
【０１１６】
また、本実施形態において、ダンパ７０に内挿される熱交換器５０のブロックは、３つのうち１つであるが、この数に限定するものではない。すなわち、ダンパ７０に内挿される熱交換器５０のブロックは、２つ以上であってもよい。
【０１１７】
また、本実施形態において、ダンパ７０が第一・第二・第三位置を移動するタイミングは、一定の期間の経過後としたが、これに限定するものではない。例えば、空気の湿度を検出可能な湿度検出センサを、第二の空気流通路２００の上流側と下流側とに設けて、これらのセンサからの検出結果に基づいてダンパ７０が移動するタイミングとする構成としてもよい。
【０１１８】
具体的には、第二の空気流通路２００の上流側と下流側との空気の湿度の差が大きいほど、ダクト６０に内挿されなかったブロックの吸着材５４が多量の水分を吸着できていると判断することができる。そして、第二の空気流通路２００の上流側と下流側との空気の湿度の差が小さくなると、ダクト６０に内挿されなかったブロックの吸着材５４が多量の水分を吸着できなくなったと判断することができる。このように、第二の空気流通路２００の上流側と下流側との空気の湿度の差が小さくなったことを、ダンパ７０が移動するタイミングとする構成としてもよい。
【符号の説明】
【０１１９】
１      調湿システム
５０    熱交換器
５１    第一ブロック
５２    第二ブロック
５３    第三ブロック
５４    吸着材
６０    ダクト
１００  第一の空気流通路
２００  第二の空気流通路
【図１】
2015114086.tif 000003
【図２】
2015114086.tif 000004
【図３】
2015114086.tif 000005
【図４】
2015114086.tif 000006
【図５】
2015114086.tif 000007
【図６】
2015114086.tif 000008
【図７】
2015114086.tif 000009
【図８】
2015114086.tif 000010
【図９】
2015114086.tif 000011
【図１０】
2015114086.tif 000012
【図１１】
2015114086.tif 000013
【図１２】
2015114086.tif 000014